(57)【要約】【課題】電動機によって回転される回転ブラシを具備した電気掃除機用吸込具において、蓋体を取り外すことにより、吸込具本体より回転ブラシを取り外し掃除ができるようにして、回転ブラシを清潔に維持できるようにする。【解決手段】下面に吸込口を開口させた吸込具本体と、吸込口に臨むように吸込具本体内に回転自在に設けた回転ブラシとを備え、回転ブラシは、外周面に塵埃掻き上げ部を設けた略筒状のブラシホルダーと、吸込具本体に配設しブラシホルダーを回転駆動する電動機とを有し、吸込具本体に回転ブラシを保持する蓋体を設け、ブラシホルダーを着脱自在に保持した電気掃除機用吸込具。【選択図】図２１
2010131456.tif 000002
【特許請求の範囲】
【請求項１】
下面に吸込口を開口させた吸込具本体と、前記吸込口に臨むように吸込具本体内に回転自在に設けた回転ブラシとを備え、前記回転ブラシは、外周面に塵埃掻き上げ部を設けた略筒状のブラシホルダーと、前記吸込具本体に配設し前記ブラシホルダーを回転駆動する電動機とを有し、前記吸込具本体に前記回転ブラシを保持する蓋体を設け、前記ブラシホルダーを着脱自在に保持した電気掃除機用吸込具。
【請求項２】
吸込具本体に配設しブラシホルダーを回転駆動する電動機の外周部を筒状の動力筒で覆った請求項１記載の電気掃除機用吸込具。
【請求項３】
内部に電動送風機を備えた電気掃除機本体に、請求項１または２に記載の電気掃除機用吸込具と連通するように接続される接続口を備えた電気掃除機。
【発明の詳細な説明】
【技術分野】
【０００１】
本発明は、電動機によって回転される回転ブラシを具備した電気掃除機用吸込具及びそれを用いた電気掃除機に関するものである。
【背景技術】
【０００２】
従来、この種の電気掃除機用吸込具は、図２４に示すように構成していた。以下、その構成について説明する。
【０００３】
図に示すように、吸込具本体１は、絨毯などの被掃除面に付着した塵埃を遊離させる回転ブラシ２を内蔵し、底面に吸込口を設け、後部に掃除機本体（図示せず）と連通される接続パイプ３を回転自在に具備している。回転ブラシ２の外周面にブラシ毛４を植毛し、内部に回転ブラシ２の駆動源である電動機５と、この電動機５の軸に装着し、回転を減速して回転ブラシ２に伝達する遊星歯車６と、この電動機５と遊星歯車６の間に配設した支持部材７とを内蔵している。
【０００４】
この支持部材７は複数のねじ８により電動機５に固定され、電動機５と当接する端面には、電動機５に設けた冷却孔からの換気をよくして放熱性を向上する溝９を形成し、他方の端面は遊星歯車６の内輪１０に嵌合するとともに、遊星歯車６の表面をカバーしている。また、回転ブラシ２の内周面には、キー溝（図示せず）を設け、このキー溝に遊星歯車６の外輪に突設した凸部（図示せず）を嵌合するとともに、凹部を軸方向に設けて冷却気流の流路を形成している。回転ブラシ２の両端の開口部には軸受１１を具備した蓋１２を装着している。
【０００５】
固定軸１３は中空に形成し、一端を回転ブラシ２の側方に突出させ、軸受１１を介して回転ブラシ２を回転自在に支持するとともに、電動機５に接続するリード線を中空部に通し、他端は円筒状に形成して回転ブラシ２の内部に配設し、電動機５の外周を支持している。固定カバー１４は回転ブラシ２の両端に装着し、回転ブラシ２や軸受１１の内部に塵埃が侵入しないようにしている。
【０００６】
回転ブラシ２は、この固定カバー１４と固定軸１３を介して、吸込具本体１に支持され、接続パイプ３の吸気口１５と対向する回転ブラシ２の略中央部には、回転ブラシ２の内部と外部を連通する複数の通気孔１６を形成している。洩らし穴１７は固定軸１３の中空部を介して、回転ブラシ２の内部に電動機を冷却する外気を連通させるもので、吸込具本体１の側面に形成している。
【０００７】
上記構成において動作を説明すると、吸込具本体１と掃除機本体に通電すると電動機５が回転し、遊星歯車６によって減速されながら回転トルクが増大されて回転ブラシ２に伝達され、ブラシ毛４により絨毯などに付着した塵埃を掻き出すとともに、掻き出された塵埃は掃除機本体に吸引される。このとき、電動機５によって回転されるのは、遊星歯車６と回転ブラシ２と蓋１２と軸受１１の外輪のみで、電動機５と固定軸１３と固定カバー１４とリード線は、吸込具本体１に固定保持されている。
【０００８】
また、掃除機本体を運転すると、吸込具本体１と床面で囲まれた空間に負圧がかかり、吸込具本体１の外周より外気が流入して接続パイプ３の吸気口１５に流れ込み、この気流により床面上の塵埃も一緒に吸気口１５へ吸い込まれていく。
【０００９】
このとき、吸気口１５と対向して設けた通気孔１６を通じて回転ブラシ２内部の通気孔
１６近傍にも負圧が働くため、中空の固定軸１３と洩らし穴１７を介して吸込具本体１の外部と連通された回転ブラシ２内の側方部との間に圧力差が生じ、外気が洩らし穴１７より固定軸１３の中空部を通って回転ブラシ２の内部に流入し、回転ブラシ２の電動機５の周囲に設けた凹部２ａを通過して通気孔１６に向かって流れ、回転ブラシ２の内部よりさらに気圧が低い吸気口１５に向かって通気孔１６より流出する気流が生じる。
【発明の概要】
【発明が解決しようとする課題】
【００１０】
このような従来の構成では、絨毯や床面の掃除を行っているうちに、回転ブラシ２に髪の毛や綿ごみ等が絡んでくる。これらのごみを除去するためには付属の隙間ノズルを用いたり、指で除去したりしていた。また、回転ブラシ２の表面も塵等で汚れるがこの場合は、雑巾等で拭いて除去していた。しかし、吸込具本体１の開口部から清掃できる回転ブラシ２の範囲は小さく、清掃し難いものとなっていた。
【００１１】
さらに、回転ブラシ２の内部に電動機５や減速装置７等が内蔵されているため、回転ブラシ２は工具を用いずには分解できない構成になっており、水洗いも禁止されていた。
【００１２】
本発明は上記従来の課題を解決するもので、吸込具本体より回転ブラシを取り外し掃除ができるようにして、回転ブラシを清潔に維持できるようにすることを第１の目的としている。
【００１３】
また、回転ブラシを清潔に維持できる吸込具本体を有する電気掃除機を提供することを第２の目的としている。
【課題を解決するための手段】
【００１４】
本発明は上記第１の目的を達成するために、下面に吸込口を開口させた吸込具本体と、前記吸込口に臨むように吸込具本体内に回転自在に設けた回転ブラシとを備え、前記回転ブラシは、外周面に塵埃掻き上げ部を設けた略筒状のブラシホルダーと、前記吸込具本体に配設し前記ブラシホルダーを回転駆動する電動機とを有し、前記吸込具本体に前記回転ブラシを保持する蓋体を設け、前記ブラシホルダーを着脱自在に保持した電気掃除機用吸込具である。
【００１５】
これにより、蓋体を取り外すことにより、ブラシホルダーのみを容易に取り外すことができ、ブラシホルダーを水洗いすることができ、清潔に維持することができる。
【００１６】
また、第２の目的を達成するために、内部に塵埃を集塵する集塵室と電動送風機を備えた電気掃除機本体に、請求項１または２に記載の電気掃除機用吸込具と連通するように接続される接続口を備えた電気掃除機である。
【００１７】
これにより、回転ブラシを清潔に維持できる吸込具本体を有する電気掃除機を提供することができる。
【発明の効果】
【００１８】
本発明の電気掃除機によれば、蓋体を取り外すことにより、吸込具本体より回転ブラシを取り外し掃除ができるようにして、回転ブラシを清潔に維持できるようにする吸込具を提供するとともに、回転ブラシを清潔に維持できる吸込具を有する電気掃除機を提供でき
るものである。
【図面の簡単な説明】
【００１９】
【図１】本発明の第１の実施の形態の電気掃除機用吸込み具の断面図
【図２】同電気掃除機用吸込み具を具備した電気掃除機の斜視図
【図３】同電気掃除機用吸込み具の要部拡大断面図
【図４】本発明の第２の実施の形態の電気掃除機用吸込み具の回転ブラシの断面図
【図５】（ａ）本発明の第３の実施の形態の電気掃除機用吸込み具の回転ブラシの断面図（ｂ）同電気掃除機用吸込み具の回転ブラシの排気口を開いた状態の断面図（ｃ）同電気掃除機用吸込み具の回転ブラシの排気口を閉じた状態の断面図
【図６】本発明の第４の実施の形態の電気掃除機用吸込み具の回転ブラシの断面図
【図７】本発明の第５の実施の形態の電気掃除機用吸込み具の回転ブラシの断面図
【図８】（ａ）同電気掃除機用吸込み具の回転ブラシ回転時の弁体の断面図（ｂ）同電気掃除機用吸込み具の回転ブラシ停止時の弁体の断面図
【図９】本発明の第６の実施の形態の電気掃除機用吸込み具の回転ブラシの断面図
【図１０】本発明の第７の実施の形態の電気掃除機用吸込み具の回転ブラシの断面図
【図１１】本発明の第８の実施の形態の電気掃除機用吸込み具の回転ブラシの断面図
【図１２】本発明の第９の実施の形態の電気掃除機用吸込み具の回転ブラシの断面図
【図１３】本発明の第１０の実施の形態の電気掃除機用吸込み具の回転ブラシの分解断面図
【図１４】本発明の第１１の実施の形態の電気掃除機用吸込み具の回転ブラシの断面図
【図１５】本発明の第１２の実施の形態の電気掃除機用吸込み具の回転ブラシの断面図
【図１６】本発明の第１３の実施の形態の電気掃除機用吸込み具の回転ブラシの断面図
【図１７】本発明の第１４の実施の形態の電気掃除機用吸込み具の回転ブラシの断面図
【図１８】本発明の第１５の実施の形態の電気掃除機用吸込み具の断面図
【図１９】本発明の第１６の実施の形態の電気掃除機用吸込み具の回転ブラシの断面図
【図２０】本発明の第１７の実施の形態の電気掃除機用吸込み具の回転ブラシの断面図
【図２１】本発明の第１８の実施の形態の電気掃除機用吸込み具の断面図
【図２２】同電気掃除機用吸込み具の回転ブラシの分解断面図
【図２３】本発明の第１９の実施の形態の電気掃除機用吸込み具の回転ブラシの分解断面図
【図２４】従来の電気掃除機用吸込具の断面図
【発明を実施するための形態】
【００２０】
請求項１に記載の発明は、下面に吸込口を開口させた吸込具本体と、前記吸込口に臨むように吸込具本体内に回転自在に設けた回転ブラシとを備え、前記回転ブラシは、外周面に塵埃掻き上げ部を設けた略筒状のブラシホルダーと、前記吸込具本体に配設し前記ブラシホルダーを回転駆動する電動機とを有し、前記吸込具本体に前記回転ブラシを保持する蓋体を設け、前記ブラシホルダーを着脱自在に保持した電気掃除機用吸込具であり、蓋体を取り外すことにより、ブラシホルダーのみを容易に取り外すことができ、ブラシホルダーを水洗いすることができ、清潔に維持することができる。
【００２１】
請求項２に記載の発明は、上記請求項１９に記載の発明において、吸込具本体に配設しブラシホルダーを回転駆動する電動機の外周部を筒状の動力筒で覆った電気掃除機用吸込
具であり、ブラシホルダーを水洗いにより清掃する場合も、動力筒により電動機を保護するため、電動機が損傷することがなくなる。
【００２２】
請求項３に記載の発明は、内部に電動送風機を備えた電気掃除機本体に、請求項１または２に記載の電気掃除機用吸込具と連通するように接続される接続口を備えた電気掃除機であり、回転ブラシを清潔に維持できるとともに、塵埃掻き上げ部に付着した塵埃を水洗いにより取り除くことができるため、塵埃掻き上げ部の塵埃掻き上げ力が増大し、集塵性能を向上することができる。
【００２３】
以下、本発明の実施の形態について、図面を参照しながら説明する。
【００２４】
（実施の形態１）
図１および図２に示すように、吸込具本体１８は絨毯などの被掃除面に付着した塵埃を遊離させる回転ブラシ１９を内蔵し、後部に延長管２０と接続される連結体２１を回転自在に設けている。掃除機本体２２は、内部に塵埃を集塵する集塵室２３と電動送風機２４を備えており、この掃除機本体２２に設けた接続口２５に、延長管２０に接続したホース２６を接続し、吸込具本体１８の連結体２１を接続口２５に連通するように構成している。
【００２５】
回転ブラシ１９は、吸込具本体１８の下面に開口した吸込口２７に臨むように、吸込具本体１８内に回転自在に設けている。この回転ブラシ１９は、ＡＢＳ、ポリスチロール、ポリプロピレンなどの熱可塑性樹脂で形成した略筒状のブラシホルダー２８の外周面に塵埃掻き上げ部を構成する複数のブラシ２９を設けている。
【００２６】
なお、塵埃掻き上げ部は、ブラシ２９の他、薄板状のブレード、拭き効果のある帯状体（例えば、布製の帯状体）、あるいはこれらを適宜組合わせたものであってもよい。
【００２７】
このブラシホルダー２８の内部に、図１に示すように、回転ブラシ１９を回転駆動する電動機３０、電動機３０の回転数を減速する減速装置３１、減速装置３１などを内蔵している。ここで、回転ブラシ１９は、電動機３０、減速装置３１などを内蔵するとともに、電動機３０のトルクと、外周面のブラシ２９の先端での塵埃の掻き上げ性能から、その直径を２６ｍｍ〜４３ｍｍとしている。
【００２８】
電動機３０は整流子電動機で構成し、商用電源電圧を整流する整流器、雑音防止器などを実装した電動機用基板３３を設け、この電動機用基板３３に連結体２１を通して掃除機本体２２に接続したリード線３４を接続し、商用電源電圧を整流した電圧により駆動するように構成している。ここで、電動機３０の回転数は、減速装置３１を介してブラシホルダー２８に回転が伝えられるため、３０００ｒ／ｍｉｎ〜１５０００ｒ／ｍｉｎに設定している。絨毯を掃除するときは、３０００ｒ／ｍｉｎ〜１２０００ｒ／ｍｉｎが好ましい。
【００２９】
減速装置３１は遊星歯車により構成して電動機３０の出力軸３６を連結し、電動機３０の回転数を減速する。ここで、減速装置３１の減速比は、１／３〜１／９（好ましくは、１／５〜１／７）としている。遮音筒３７は、減速装置３１の外周を覆って遮音するものである。この遮音筒３７を介して電動機３０に保持固定し、電動機３０と減速装置３１とを一体に連結して構成し、出力軸３６に緩衝材４７を嵌合している。軸受部３９は電動機３０と一体に連結して構成した減速装置３１をブラシホルダー２８に支持するもので、内輪を減速装置３１の径小部に固定し、外輪をブラシホルダー２８の軸受支持部４１により支持している。
【００３０】
電動機３０の整流子側（図示せず）には、内径を中空とし減速装置３１と一体に連結して構成した電動機３０を軸支する中空軸４２を固定している。この中空軸４２は、アルミニウム合金、炭素鋼（Ｓ４５Ｃ）、工業用プラスチックなどの変形しにくい材料で形成し、内径を約１３ｍｍとして冷却風をスムーズに導入できるように構成している。この中空軸４２に軸受部４３の内輪を固定し、外輪をブラシホルダー２８の端部に固定したキャップ４４により支持している。
【００３１】
緩衝材４７は、ゴム、エラストマーなどで形成し、この緩衝材４７をブラシホルダー２８の内面部に形成した軸受支持部４１に噛み合わせ、ゴム、エラストマーなどの弾力性により、歯形相互間で噛み合い音を緩衝させている。減速装置３１の出力軸３６と嵌合する孔部４６は、炭素鋼（Ｓ４５Ｃ）、ステンレス鋼、焼結合金等で構成している。
【００３２】
遮音筒３７は減速装置３１の外周部に取り付けており、減速装置３１の保持および遮音を行っている。この遮音筒３７を例えば鋼板の絞り加工、アルミダイキャスト、金属の切削加工、燒結合金等金属で形成する。これにより、減速装置３１から発生する騒音の遮音効果が向上し、吸込具本体１８の静音化が可能となる。また、減速装置３１から発生する熱の放熱効果が増大することにより減速装置３１の過度な温度大気圧より低下を防止することができ、減速装置３１の寿命の延長が可能となる。
【００３３】
回転ブラシ１９の電動機３０側と反対側に蓋体４８を吸込具本体１８に着脱自在に保持している。また、図３に示すように、端子４９ａは電動機３０に接続したリード線に接続し、回転ブラシ１９の端部に設けた中空軸４２の内部に保持している。端子４９ｂは電動機用基板３３に接続したリード線に接続して、吸込具本体１８の一端に配設し、端子４９ａに接続可能としている。したがって、蓋体４８を外せば回転ブラシ１９を単体で軸方向に取り外せるように構成している。
【００３４】
上記構成において動作を説明する。電動機３０を駆動して回転ブラシ１９を回転駆動するとともに、電動送風機２４を駆動して掃除機本体２２を運転すると、回転ブラシ１９により掻き上げた被掃除面の塵埃を電動送風機２４により集塵室２３に集塵する。
【００３５】
絨毯や床面の掃除を行っているうちに、回転ブラシ１９に髪の毛や綿ごみ等が絡んでくると、回転ブラシ１９による塵埃の掻き上げ力が低下し、集塵性能が低下し、また、これらのごみが回転ブラシ１９と吸込具本体１８との摺動部に絡み付くと、回転ブラシ１９が停止してしまう。
【００３６】
このため、これらのごみを除去するために、蓋体４８を取り外すと、回転ブラシ１９は、端部に設けた中空軸４２の内部に保持している端子４９ａを吸込具本体１８の一端に配設した端子４９ｂに接続しているため、回転ブラシ１９を吸込具本体１８より容易に取り外することができ、回転ブラシ１９を単体で掃除ができるため、回転ブラシ１９を清潔に維持することができ、使用性を向上することができる。
【００３７】
また、この吸込具本体１８を掃除機本体２２に設けた接続口２５に、延長管２０とホース２６を介して接続した電気掃除機は、回転ブラシ１９を清潔に維持できるとともに、ブラシ２９に付着した塵埃を水洗いにより取り除くことができるため、ブラシ２９の塵埃掻き上げ力が増大し、集塵性能を向上することができる。
【００３８】
（実施の形態２）
図４に示すように、膜体５１は、ゴアテクス等の通気性を有しかつ水を通さない防水機能を有するもので、電動機３０の端部に保持した中空軸４２の吸気口５０の入口に取り付けている。また、ブラシホルダー２８に電動機３０を冷却した後の空気を排出する排気口
５２を設け、この排気口５２の内部に、同様の材質で形成した膜体５３を取り付けている。他の構成は上記実施の形態１と同じである。
【００３９】
上記構成において作用を説明する。絨毯や床面の掃除を行っているうちに、回転ブラシ１９に絡んだ髪の毛や綿ごみ等を除去するとき、回転ブラシ１９を吸込具本体１８より取り外すと、回転ブラシ１９の開口部である吸気口５０と排気口５２には、通気性を有しかつ水を通さない防水機能を有する膜体５１、５３を取り付けているため、回転ブラシ１９を水に漬けても膜体５１、５３により回転ブラシ１９の内部に水が入るのを防止できるため、回転ブラシ１９を水洗いすることができ、清潔に維持することができる。
【００４０】
（実施の形態３）
図５に示すように、ブラシホルダー２８の端部に回転軸５４を固定した回転蓋５５を保持し、この回転蓋５５の内部にはシールリング５６を保持し、端部からの水の浸入を防止している。さらに排気口５２の内面に延長してシャッター５７を一体に形成し、回転蓋５５を回動することによりブラシホルダー２８に設けた冷却風を排出する排気口５２を閉鎖するよう構成している。他の構成は上記実施の形態２と同じである。
【００４１】
上記構成において作用を説明する。絨毯や床面の掃除を行っているうちに、回転ブラシ１９に絡んだ髪の毛や綿ごみ等を除去するとき、回転ブラシ１９を吸込具本体１８より取り外して、回転蓋５５をラジアル方向に回動すると、図５（ｂ）に示すようなシャッター５７の開口孔５７ａと排気口５２が連通した状態から、図５（ｃ）に示すように、シャッター５７により排気口５２を閉塞した状態になる。
【００４２】
一方、吸気口５０には、通気性を有しかつ水を通さない防水機能を有する膜体５１を取り付けているため、回転ブラシ１９を水に漬けても膜体５１とシャッター５７により回転ブラシ１９の内部に水が入るのを防止できるため、回転ブラシ１９を水洗いすることができ、清潔に維持することができる。
【００４３】
（実施の形態４）
図６に示すように、シャッター５８は、ブラシホルダー２８の内面に軸方向に移動するように設け、このシャッター５８を移動することによりブラシホルダー２８に設けた冷却風を排出する排気口５２を閉鎖するよう構成している。他の構成は上記実施の形態２と同じである。
【００４４】
上記構成において作用を説明する。絨毯や床面の掃除を行っているうちに、回転ブラシ１９に絡んだ髪の毛や綿ごみ等を除去するとき、回転ブラシ１９を吸込具本体１８より取り外して、シャッター５８を軸方向に移動すると、シャッター５８の開口孔５８ａと排気口５２が連通した状態から、シャッター５８により排気口５２を閉塞した状態になる。
【００４５】
一方、吸気口５０には、通気性を有しかつ水を通さない防水機能を有する膜体５１を取り付けているため、回転ブラシ１９を水に漬けても膜体５１とシャッター５７により回転ブラシ１９の内部に水が入るのを防止できるため、回転ブラシ１９を水洗いすることができ、清潔に維持することができる。
【００４６】
（実施の形態５）
図７および図８に示すように、弁体７０は、回転ブラシ１９の回転時に、ブラシホルダー２８に設けた冷却風を排出する排気口５２を開路するよう構成している。他の構成は上記実施の形態２と同じである。
【００４７】
上記構成において作用を説明する。回転ブラシ１９が回転すると、弁体７０の弁７１に
遠心力が働いて、図８（ａ）に示すように、外周部に移動し、冷却口７２を開路する。絨毯や床面の掃除を行っているうちに、回転ブラシ１９に絡んだ髪の毛や綿ごみ等を除去するとき、回転ブラシ１９を吸込具本体１８より取り外すと、弁体７０の弁７１には遠心力が働かないため、図８（ｂ）に示すように、冷却口７２を閉じる。
【００４８】
一方、吸気口５０には、通気性を有しかつ水を通さない防水機能を有する膜体５１を取り付けているため、回転ブラシ１９を水に漬けても膜体５１とシャッター５７により回転ブラシ１９の内部に水が入るのを防止できるため、回転ブラシ１９を水洗いすることができ、清潔に維持することができる。
【００４９】
（実施の形態６）
図９に示すように、弁６０は、通常は弾性体５９の付勢力により閉鎖しており、吸込具本体１８に吸引力が発生し、ブラシホルダー２８内部の内圧が大気圧より低下したとき開口するもので、電動機３０に保持した中空軸４２の吸気口５０の入口に設けている。他の構成は上記実施の形態２と同じである。
【００５０】
上記構成において作用を説明する。回転ブラシ１９が回転すると、吸込具本体１８に吸引力が発生し、弁６０が開いて吸気口５０より冷却風を吸気する。絨毯や床面の掃除を行っているうちに、回転ブラシ１９に絡んだ髪の毛や綿ごみ等を除去するとき、回転ブラシ１９を吸込具本体１８より取り外すと、弁６０は弾性体５９の付勢力により閉鎖している。
【００５１】
一方、排気口５２には、通気性を有しかつ水を通さない防水機能を有する膜体５３を取り付けているため、回転ブラシ１９を水に漬けても膜体５３と弁６０により回転ブラシ１９の内部に水が入るのを防止できるため、回転ブラシ１９を水洗いすることができ、清潔に維持することができる。
【００５２】
（実施の形態７）
図１０に示すように、弁６０は、通常は弾性体５９の付勢力により閉鎖しており、吸込具本体１８に吸引力が発生し、ブラシホルダー２８内部の内圧が大気圧より低下したとき開口するもので、電動機３０に保持した中空軸４２の吸気口５０の入口に設け、ブラシホルダー２８の端部に回転軸５４を固定した回転蓋５５を保持し、この回転蓋５５の内部にはシールリング５６を保持し、端部からの水の浸入を防止している。さらに排気口５２の内面に延長してシャッター５７を一体に形成し、回転蓋５５を回動することによりブラシホルダー２８に設けた冷却風を排出する排気口５２を閉鎖するよう構成している。他の構成は上記実施の形態２と同じである。
【００５３】
上記構成において作用を説明する。回転ブラシ１９が回転すると、吸込具本体１８に吸引力が発生し、弁６０が開いて吸気口５０より冷却風を吸気する。この状態ではシャッター５７は開いている。絨毯や床面の掃除を行っているうちに、回転ブラシ１９に絡んだ髪の毛や綿ごみ等を除去するとき、回転ブラシ１９を吸込具本体１８より取り外すと、弁６０は弾性体５９の付勢力により閉鎖している。
【００５４】
一方、排気口５２には、回転蓋５５に一体に形成したシャッター５７を設け、回転蓋５５を回動することにより、ブラシホルダー２８に設けた排気口５２を閉鎖するよう構成しているので、回転ブラシ１９を水に漬けてもシャッター５７と弁６０により回転ブラシ１９の内部に水が入るのを防止できるため、回転ブラシ１９を水洗いすることができ、清潔に維持することができる。
【００５５】
（実施の形態８）
図１１に示すように、弁６０は、通常は弾性体５９の付勢力により閉鎖しており、吸込具本体１８に吸引力が発生し、ブラシホルダー２８内部の内圧が大気圧より低下したとき開口するもので、電動機３０に保持した中空軸４２の吸気口５０の入口に設け、ブラシホルダー２８の内面に軸方向に移動するようにシャッター５８を設け、このシャッター５８を移動することによりブラシホルダー２８に設けた冷却風を排出する排気口５２を閉鎖するよう構成している。他の構成は上記実施の形態２と同じである。
【００５６】
上記構成において作用を説明する。回転ブラシ１９が回転すると、吸込具本体１８に吸引力が発生し、弁６０が開いて吸気口５０より冷却風を吸気する。この状態ではシャッター５８は開いている。絨毯や床面の掃除を行っているうちに、回転ブラシ１９に絡んだ髪の毛や綿ごみ等を除去するとき、回転ブラシ１９を吸込具本体１８より取り外すと、弁６０は弾性体５９の付勢力により閉鎖している。
【００５７】
一方、シャッター５８を軸方向に移動すると、シャッター５８により排気口５２を閉塞した状態になるので、回転ブラシ１９を水に漬けてもシャッター５８と弁６０により回転ブラシ１９の内部に水が入るのを防止できるため、回転ブラシ１９を水洗いすることができ、清潔に維持することができる。
【００５８】
（実施の形態９）
図１２に示すように、弁６０は、通常は弾性体５９の付勢力により閉鎖しており、吸込具本体１８に吸引力が発生し、ブラシホルダー２８内部の内圧が大気圧より低下したとき開口するもので、電動機３０に保持した中空軸４２の吸気口５０の入口に設け、回転ブラシ１９の回転時に、ブラシホルダー２８に設けた排気口５２を開路する弁体７０を設けている。他の構成は上記実施の形態２と同じである。
【００５９】
上記構成において作用を説明する。回転ブラシ１９が回転すると、吸込具本体１８に吸引力が発生し、弁６０が開いて吸気口５０より冷却風を吸気する。この状態では弁体７０は開いている。絨毯や床面の掃除を行っているうちに、回転ブラシ１９に絡んだ髪の毛や綿ごみ等を除去するとき、回転ブラシ１９を吸込具本体１８より取り外すと、弁６０は弾性体５９の付勢力により閉鎖している。
【００６０】
一方、排気口５２には、回転ブラシ１９の回転時に、排気口５２を開路する弁体７０を設けているので、回転ブラシ１９を吸込具本体１８より取り外すと、弁体７０の弁７１には遠心力が働かないため閉じた状態になるので、回転ブラシ１９を水に漬けても弁体７０と弁６０により回転ブラシ１９の内部に水が入るのを防止できるため、回転ブラシ１９を水洗いすることができ、清潔に維持することができる。
【００６１】
（実施の形態１０）
図１３に示すように、ブラシホルダー２８の内部に、回転ブラシ１９を回転駆動する電動機３０、減速装置３１等からなる動力伝達装置７２を内蔵し、この動力伝達装置７２をブラシホルダー２８に着脱自在に保持するよう構成している。他の構成は上記実施の形態２と同じである。
【００６２】
上記構成において作用を説明する。絨毯や床面の掃除を行っているうちに、回転ブラシ１９に絡んだ髪の毛や綿ごみ等を除去するとき、回転ブラシ１９を吸込具本体１８より取り外した後、動力伝達装置７２をブラシホルダー２８より取り外すことにより、ブラシホルダー２８単体で簡単に水洗いすることができ、清潔に維持することができる。
【００６３】
（実施の形態１１）
図１４に示すように、弁膜体６１は、通常は閉鎖しており、吸込具本体１８に吸引力が
発生し、ブラシホルダー２８内部の内圧が大気圧より低下したとき開口するもので、電動機３０に保持した中空軸４２の吸気口５０の入口に設けている。他の構成は上記実施の形態２と同じである。
【００６４】
上記構成において作用を説明する。回転ブラシ１９が回転すると、吸込具本体１８に吸引力が発生し、弁膜体６１が開いて吸気口５０より冷却風を吸気する。絨毯や床面の掃除を行っているうちに、回転ブラシ１９に絡んだ髪の毛や綿ごみ等を除去するとき、回転ブラシ１９を吸込具本体１８より取り外すと、弁膜体６１は閉鎖している。
【００６５】
一方、排気口５２には、通気性を有しかつ水を通さない防水機能を有する膜体５３を取り付けているため、回転ブラシ１９を水に漬けても膜体５３と弁膜体６１により回転ブラシ１９の内部に水が入るのを防止できるため、回転ブラシ１９を水洗いすることができ、清潔に維持することができる。
【００６６】
（実施の形態１２）
図１５に示すように、弁膜体６１は、通常は閉鎖しており、吸込具本体１８に吸引力が発生し、ブラシホルダー２８内部の内圧が大気圧より低下したとき開口するもので、電動機３０に保持した中空軸４２の吸気口５０の入口に設け、ブラシホルダー２８の端部に回転軸５４を固定した回転蓋５５を保持し、この回転蓋５５の内部にはシールリング５６を保持し、端部からの水の浸入を防止している。さらに排気口５２の内面に延長してシャッター５７を一体に形成し、回転蓋５５を回動することによりブラシホルダー２８に設けた冷却風を排出する排気口５２を閉鎖するよう構成している。他の構成は上記実施の形態２と同じである。
【００６７】
上記構成において作用を説明する。回転ブラシ１９が回転すると、吸込具本体１８に吸引力が発生し、弁膜体６１が開いて吸気口５０より冷却風を吸気する。この状態ではシャッター５７は開いている。絨毯や床面の掃除を行っているうちに、回転ブラシ１９に絡んだ髪の毛や綿ごみ等を除去するとき、回転ブラシ１９を吸込具本体１８より取り外すと、弁膜体６１は閉鎖している。
【００６８】
一方、排気口５２には、回転蓋５５に一体に形成したシャッター５７を設け、回転蓋５５を回動することにより、ブラシホルダー２８に設けた排気口５２を閉鎖するよう構成しているので、回転ブラシ１９を水に漬けてもシャッター５７と弁膜体６１により回転ブラシ１９の内部に水が入るのを防止できるため、回転ブラシ１９を水洗いすることができ、清潔に維持することができる。
【００６９】
（実施の形態１３）
図１６に示すように、弁膜体６１は、通常は閉鎖しており、吸込具本体１８に吸引力が発生し、ブラシホルダー２８内部の内圧が大気圧より低下したとき開口するもので、電動機３０に保持した中空軸４２の吸気口５０の入口に設け、ブラシホルダー２８の内面に軸方向に移動するようにシャッター５８を設け、このシャッター５８を移動することによりブラシホルダー２８に設けた冷却風を排出する排気口５２を閉鎖するよう構成している。他の構成は上記実施の形態２と同じである。
【００７０】
上記構成において作用を説明する。回転ブラシ１９が回転すると、吸込具本体１８に吸引力が発生し、弁膜体６１が開いて吸気口５０より冷却風を吸気する。この状態ではシャッター５８は開いている。絨毯や床面の掃除を行っているうちに、回転ブラシ１９に絡んだ髪の毛や綿ごみ等を除去するとき、回転ブラシ１９を吸込具本体１８より取り外すと、弁膜体６１は閉鎖している。
【００７１】
一方、シャッター５８を軸方向に移動すると、シャッター５８により排気口５２を閉塞した状態になるので、回転ブラシ１９を水に漬けてもシャッター５８と弁膜体６１により回転ブラシ１９の内部に水が入るのを防止できるため、回転ブラシ１９を水洗いすることができ、清潔に維持することができる。
【００７２】
（実施の形態１４）
図１７に示すように、弁膜体６１は、通常は閉鎖しており、吸込具本体１８に吸引力が発生し、ブラシホルダー２８内部の内圧が大気圧より低下したとき開口するもので、電動機３０に保持した中空軸４２の吸気口５０の入口に設け、回転ブラシ１９の回転時に、ブラシホルダー２８に設けた排気口５２を開路する弁体７０を設けている。他の構成は上記実施の形態２と同じである。
【００７３】
上記構成において作用を説明する。回転ブラシ１９が回転すると、吸込具本体１８に吸引力が発生し、弁膜体６１が開いて吸気口５０より冷却風を吸気する。この状態では弁体７０は開いている。絨毯や床面の掃除を行っているうちに、回転ブラシ１９に絡んだ髪の毛や綿ごみ等を除去するとき、回転ブラシ１９を吸込具本体１８より取り外すと、弁膜体６１は閉鎖している。
【００７４】
一方、排気口５２には、回転ブラシ１９の回転時に、排気口５２を開路する弁体７０を設けているので、回転ブラシ１９を吸込具本体１８より取り外すと、弁体７０の弁７１には遠心力が働かないため閉じた状態になるので、回転ブラシ１９を水に漬けても弁体７０と弁膜体６１により回転ブラシ１９の内部に水が入るのを防止できるため、回転ブラシ１９を水洗いすることができ、清潔に維持することができる。
【００７５】
（実施の形態１５）
図１８に示すように、電動機３０の端部に保持した中空軸４２の吸気口５０の入口に、ゴアテクス等の通気性を有しかつ水を通さない防水機能を有する膜体５１を取り付けている。中空軸４２の端部にシール６２を設け、遮音筒３７の端部にシール６３を設け、さらに、遮音筒３７の反対側の端部に出力軸３６に接するシール６４を設けて、電動機３０をシールして水の侵入を防止するよう構成している。他の構成は上記実施の形態１と同じである。
【００７６】
上記構成において作用を説明する。絨毯や床面の掃除を行っているうちに、回転ブラシ１９に絡んだ髪の毛や綿ごみ等を除去するとき、回転ブラシ１９を吸込具本体１８より取り外すと、電動機３０は、膜体５１、シール６２、シール６３、シール６４によシールされているため、ブラシホルダー２８の内部に水の侵入が侵入しても、電動機３０に侵入することがないため、機能を損なう心配がない。これにより、回転ブラシ１９を水洗いすることができ、清潔に維持することができる。
【００７７】
（実施の形態１６）
図１９に示すように、電動機３０の端部に保持した中空軸４２の吸気口５０の入口に、通常は閉鎖しており、吸込具本体１８に吸引力が発生し、ブラシホルダー２８内部の内圧が大気圧より低下したとき開口する弁６０を取り付けている。他の構成は上記実施の形態１５と同じである。
【００７８】
上記構成において作用を説明する。絨毯や床面の掃除を行っているうちに、回転ブラシ１９に絡んだ髪の毛や綿ごみ等を除去するとき、回転ブラシ１９を吸込具本体１８より取り外すと、電動機３０は、弁６０、シール６２、シール６３、シール６４によシールされているため、ブラシホルダー２８の内部に水の侵入が侵入しても、電動機３０に侵入することがないため、機能を損なう心配がない。これにより、回転ブラシ１９を水洗いするこ
とができ、清潔に維持することができる。
【００７９】
（実施の形態１７）
図２０に示すように、電動機３０の端部に保持した中空軸４２の吸気口５０の入口に、通常は閉鎖しており、吸込具本体１８に吸引力が発生し、ブラシホルダー２８内部の内圧が大気圧より低下したとき開口する弁膜体６１を取り付けている。他の構成は上記実施の形態１５と同じである。
【００８０】
上記構成において作用を説明する。絨毯や床面の掃除を行っているうちに、回転ブラシ１９に絡んだ髪の毛や綿ごみ等を除去するとき、回転ブラシ１９を吸込具本体１８より取り外すと、電動機３０は、弁膜体６１、シール６２、シール６３、シール６４によシールされているため、ブラシホルダー２８の内部に水の侵入が侵入しても、電動機３０に侵入することがないため、機能を損なう心配がない。これにより、回転ブラシ１９を水洗いすることができ、清潔に維持することができる。
【００８１】
（実施の形態１８）
図２１および図２２に示すように、電動機３０に取り付けた中空軸４２の端部を吸込具本体１８により保持し、電動機３０、減速機３１、遮音筒３７などで形成した電動機ユニット６５を吸込具本体１８に固定し、ブラシホルダー２８を着脱自在に取り付けている。また、蓋体４８を着脱自在に設け、回転ブラシ１９が汚れたとき、蓋体４８を外してブラシホルダー２８を取り出しできるように構成している。他の構成は上記実施の形態１と同じである。
【００８２】
上記構成において作用を説明する。絨毯や床面の掃除を行っているうちに、回転ブラシ１９に絡んだ髪の毛や綿ごみ等を除去するとき、蓋体４８を外してブラシホルダー２８を取り出し、ブラシホルダー２８を単体で水洗いすることができ、清潔に維持することができる。
【００８３】
（実施の形態１９）
図２３に示すように、電動機ユニット６５とブラシホルダー２８の間に筒状の動力筒６６を設け、ブラシホルダー２８を回転駆動する電動機３０の外周部を動力筒６６で覆っている。他の構成は上記実施の形態１８と同じである。
【００８４】
上記構成において作用を説明する。絨毯や床面の掃除を行っているうちに、回転ブラシ１９に絡んだ髪の毛や綿ごみ等を除去するとき、蓋体４８を外してブラシホルダー２８を取り出し、ブラシホルダー２８を単体で水洗いすることができ、清潔に維持することができる。ここで、動力筒６６により電動機ユニット６５を保護することができ、電動機ユニット６５が損傷するのを防止することができる。
【符号の説明】
【００８５】
１８  吸込具本体
１９  回転ブラシ
２７  吸込口
２８  ブラシホルダー
２９  ブラシ（塵埃掻き上げ部）
３０  電動機
４８  蓋体
４９ａ  端子
４９ｂ  端子
【図１】
2010131456.tif 000003
【図２】
2010131456.tif 000004
【図３】
2010131456.tif 000005
【図４】
2010131456.tif 000006
【図５】
2010131456.tif 000007
【図６】
2010131456.tif 000008
【図７】
2010131456.tif 000009
【図８】
2010131456.tif 000010
【図９】
2010131456.tif 000011
【図１０】
2010131456.tif 000012
【図１１】
2010131456.tif 000013
【図１２】
2010131456.tif 000014
【図１３】
2010131456.tif 000015
【図１４】
2010131456.tif 000016
【図１５】
2010131456.tif 000017
【図１６】
2010131456.tif 000018
【図１７】
2010131456.tif 000019
【図１８】
2010131456.tif 000020
【図１９】
2010131456.tif 000021
【図２０】
2010131456.tif 000022
【図２１】
2010131456.tif 000023
【図２２】
2010131456.tif 000024
【図２３】
2010131456.tif 000025
【図２４】
2010131456.tif 000026